(57)【要約】【課題】配管系において接続用雄ネジが接続用雌ネジよりも小径で螺着できない場合に使用する管継手を提供する。【解決手段】雄ネジ部Ｘを有する一方の連結部Ｍを収容可能な中空部１と、他方の連結部Ｎの雌ネジ部Ｙに螺着対応する雄ネジ部２を設けた管体３を、半円弧以下の複数の分割体４、５に縦割り形成し、該分割体４、５はその分断面６、７同士の一端側を連結して分断面６、７を相互に接離自在と成すことにより、分断面６、７を離間して拡開させた中空部１に連結部Ｍを配した後、分断面６、７を当接合致し、連結部Ｍを管体３内に収容保持する様にして、この管体３を連結部Ｎに螺着する。【選択図】図６
2005163950.tif 000002
【特許請求の範囲】
【請求項１】
一方の連結部を収容可能な中空部と、他方の連結部の雌ネジ部に螺着対応する雄ネジ部
を設けた管体を、半円弧以下の複数の分割体に縦割り形成し、該分割体はその分断面同士
の一端側を連結して分断面を相互に接離自在と成したことを特徴する管継手。
【請求項２】
中空部には、一方の連結部外周に膨出形成された接続手段の基端周縁に掛止する突条を
設けると共に、該突条における前記基端周縁との掛止面を求心方向に向かって縮径する様
に傾斜形成したことを特徴とする請求項１記載の管継手。
【請求項３】
中空部には、上記接続手段の先端周縁に掛止する突条を設けたことを特徴とする請求項
２記載の管継手。
【請求項４】
当接する分断面の夫々には着脱自在に嵌合する凸部及び凹部を設けたことを特徴とする
請求項１、２又は３記載の管継手。
【請求項５】
分割体は、分断面相互を当接合致する様に付勢した弾性部材で連結したことを特徴とす
る請求項１、２、３又は４記載の管継手。
【請求項６】
弾性部材は円環状に形成され、該弾性部材において分割体の円弧に対応した部位を各分
割体の一端側に内装したことを特徴とする請求項５記載の管継手。
【発明の詳細な説明】
【技術分野】
【０００１】
本発明は、管継手に関する。
【背景技術】
【０００２】
従来、上水管中において、水量計はその一次側（入口）及び二次側（出口）の夫々に止
水栓及び逆止弁を連結しており、水量計の交換に際しては、止水栓と逆止弁との連結を解
除した後、再び新規な水量計を止水栓と逆止弁との間に介装連結している。
ところが、一旦水量計を止水栓と逆止弁との間から取り外すと、止水栓と逆止弁におけ
る水量計との連結口の軸芯が相互にずれることが多々あり、又一般に集合住宅等では水量
計の設置場所が狭いことも相俟って、再度水量計の出入口を止水栓と逆止弁の各連結口に
要領よく連結することは難しく、一集合住宅において各戸毎に取付けられる水量計の全て
を交換又は新設するには、非常な手間、時間を要していた。
この様な不具合を解消するため、例えば特許文献１に開示される様に、ベース上に止水
栓と逆止弁を水量計の全長より長い間隔を以て離間配置し、水量計の入口を接続する様に
止水栓の出口に伸縮自在に取付けられると共に、水量計の出口を逆止弁の入口に向けて押
圧するスライダーを備えたユニットを使用している。
このユニットでは、ベース上に固定されたことで止水栓と逆止弁の上記軸芯が同軸に設
定され、この様に設定された止水栓と逆止弁の間において、水量計の入口を接続したスラ
イダーを上記の如く操作することにより、止水栓と逆止弁間に水量計を簡単に介装接続で
きる様にして、水量計等の設置及び水量計の交換作業を簡便にしている。
ところで、水量計は、その出入口に形成された雄ネジ部のネジ径やピッチが統一されて
おらず、ネジ径等の異なる複数種の水量計が同一の水道事業者によって使用されているの
が実情であるが、上記ユニットでは、スライダー及び逆止弁において、水量計の入口及び
出口の夫々を直接接続する部位に、その入口及び出口の径に対応した半円形の受け部を着
脱自在に装着することにより、ネジ径の異なる複数種の水量計の夫々に対しても、止水弁
と逆止弁との間に介装接続できる様に成している。
【特許文献１】特開平１１−９３２２６号公報
【発明の開示】
【発明が解決しようとする課題】
【０００３】
しかしながら、上記ユニットでは、ネジ径の異なる複数種の水量計に対して夫々対応し
た受け部を交換せねばならないため、作業が煩雑になりがちであると共に、水量計をスラ
イドして止水栓と逆止弁間に介装接続する構成の上記ユニットだけにしか適用できないの
で汎用性に欠ける。
そこで、本発明では、接続用雄ネジが接続用雌ネジよりも小径で螺着できない場合、上
記の様なユニットに拘らず、他の配管接続においても適用できる管継手であって、更に前
記の様な接続用雄ネジを有しない、例えばフランジを設けた連結部と、前記雌ネジを有す
る連結部との特異な接続にも適用可能な汎用性に富んだ管継手を提供することを目的とし
ている。
【課題を解決するための手段】
【０００４】
本発明は、上記課題に鑑み、一方の連結部を収容可能な中空部と、他方の連結部の雌ネ
ジ部に螺着対応する雄ネジ部を設けた管体を、半円弧以下の複数の分割体に縦割り形成し
、該分割体はその分断面同士の一端側を連結して分断面を相互に接離自在と成した管継手
を提供する。
又、上記中空部には、一方の連結部外周に膨出形成された接続手段の基端周縁（雄ネジ
部終端のネジ山又はフランジ部背面の外周縁）に掛止すると共に、前記基端周縁との掛止
面を求心方向に向かって縮径する様に傾斜形成した突条を設けたり、更に接続手段の先端
周縁（雄ネジ部始端のネジ山又はフランジ部接合面の外周縁）に掛止する別途突条を設け
ても良い。
上記分割体は、分断面相互を当接合致する様に付勢した弾性部材で連結したものであっ
ても良く、更に具体的には、弾性部材を円環状に形成し、該弾性部材において分割体の円
弧に対応した部位を各分割体の一端側に内装する様にしても良い。
又、当接する分断面の夫々には着脱自在に嵌合する凸部及び凹部を設けても良い。
【発明の効果】
【０００５】
要するに請求項１記載の発明は、一方の連結部を収容可能な中空部と、他方の連結部の
雌ネジ部に螺着対応する雄ネジ部を設けた管体を、半円弧以下の複数の分割体に縦割り形
成し、該分割体はその分断面同士の一端側を連結して分断面を相互に接離自在と成したの
で、配管系において、一方の連結部が他方の連結部よりも小径の場合、各分割体の当接す
る分断面を相互に離間する様に管体を変形することにより、中空部を拡開してそこへ一方
の連結部を配し、その後分割体の分断面を当接合致して管体形態に変形することにより、
管体内に前記一方の連結部を囲繞する様に収容でき、この状態の管体を他方の連結部に螺
着することにより、前記態様の連結部同士を難無く接続できる。
しかも、本発明によれば、一方の連結部が中空部に収容できれば良いので、この連結部
に形成された接続手段が雄ネジに限らず、例えばフランジであっても管体を介して他方の
連結部に接続できる。
更に、上記の様に管体を拡開変形しても、分割体が散けることがなく、即座に一方の連
結部を中空部に収容保持する様に管体形態に変形でき、ボルト等の締結部材を使用するこ
ともないので、その作業が簡便であり、続く他方の連結部との接続作業も従前と変わるこ
とがないため、スムーズに配管作業を進行できる。
【０００６】
請求項２記載の発明では、中空部には、一方の連結部外周に膨出形成した接続手段の基
端周縁（雄ネジ部終端のネジ山又はフランジ部背面の外周縁）に掛止する突条を設けたの
で、その連結部を中空部に収容保持した状態において、これを他方の連結部の雌ネジ部に
螺着する時に、突条が一方の連結部を抜止めできる。
しかも、突条における上記基端周縁との掛止面を求心方向に向かって縮径する様に傾斜
形成したので、外径が異なる複数種の上記一方の連結部を中空部に収容保持するいずれの
場合にあっても、管体を他方の連結部に螺着する時には、必ず上記基端周縁が掛止面の傾
斜に沿って接触して摺接するため、上記一方の連結部の軸芯は管体の軸芯に合致すること
となり、管体を介して連結部同志を芯ズレなく同軸上で確実に接続できる。
【０００７】
請求項３記載の発明では、中空部には、上記接続手段の先端周縁（雄ネジ部始端のネジ
山又はフランジ部接合面の外周縁）に掛止する突条を設けたので、この突条と、接続手段
の基端周縁に掛止する上記突条との間に、上記一方の連結部における接続手段を挟装する
様に中空部に収容保持でき、内部でその連結部が前後にガタつく様なこともなく管体を他
方の連結部に螺着でき、その螺着作業を良好に行える。
【０００８】
請求項４記載の発明では、当接する分断面の夫々には着脱自在に嵌合する凸部及び凹部
を設けたので、管体形態に変形した状態で凸部及び凹部が相互に嵌合するため、分断面が
ズレのない当接合致状態を保持でき、より確実に管体形態を安定保持でき、よって管体に
設けた雄ネジ部のネジ山がズレなく螺旋状に連続保持できるため、管体の他方の連結部へ
の螺着をスムーズに行うことができる。
【０００９】
請求項５記載の発明では、分割体は、分断面相互を当接合致する様に付勢した弾性部材
で連結したので、この弾性部材の付勢力に抗して管体を拡開変形した状態から中空部に一
方の連結部を収容して管体形態に変形した時にも、その弾性部材の付勢力によって当接す
る分断面に隙間を生じさせることもなく、管体に設けた雄ネジ部のネジ山もズレることの
ない管体形態に完全変形でき、この状態を安定保持できるため、他方の連結部の雌ネジ部
により一層確実に螺着できる。
【００１０】
請求項６記載の発明では、弾性部材は円環状に形成され、該弾性部材において分割体の
円弧に対応した部位を各分割体の一端側に内装したので、管体の一端側の開口部端面（各
分割体の円弧状の一端面）側より弾性部材を内装する溝を形成するなどして１つの弾性部
材だけを用いて上記の如く変形する管体を部品点数も少なく比較的簡単に構成できるため
、組み立てが容易で安価に提供できる等その実用的効果甚だ大である。
【発明を実施するための最良の形態】
【００１１】
以下本発明の実施の一形態例を図面に基づいて説明する。
図１は管継手の斜視図、図２は管継手の変形状態を示す斜視図である。
この管継手は、配管系において、主に、雄ネジ部から成る接続手段Ｘを外周に膨出形成
した一方の連結部Ｍと、雌ネジ部Ｙを内周に螺刻した他方の連結部Ｎと接続するに際し、
一方の連結部Ｍが他方の連結部Ｎよりも小径の場合に使用されるものである。
尚、連結部Ｍに限っては、上記接続手段Ｘが雄ネジ部でなくても、例えば連結部Ｍ外周
に膨出形成したフランジ部（図示せず）であっても良く、以下では、雄ネジ部Ｘ、又はこ
の雄ネジ部Ｘや前記フランジ部を総称して接続手段Ｘと称する。
【００１２】
上記管継手は、連結部Ｍを収容可能な中空部１と、連結部Ｎの雌ネジ部Ｙに螺着対応す
る雄ネジ部２を設けた管体３を、半円弧以下の複数の分割体４、５に縦割り形成し、該分
割体４、５はその分断面６、７同士の一端側を連結して分断面６、７を相互に接離自在と
成しており、連結された分断面６、７の一端側をヒンジ（蝶番）の如く開閉する様にして
、分割体４、５の当接する分断面６、７を相互に離間することにより、中空部１を拡開可
能とし、その拡開状態において連結部Ｍを収容し、分断面６、７を当接合致させて管体３
形態に変形することにより、管体３内に連結部Ｍを囲繞する様に収容保持している。
尚、分割体４、５は、３分割以上に形成しても良いが、図示例の様に２分割に形成する
のが望ましい。
【００１３】
中空部１に連結部Ｍを収容保持した状態では、連結部Ｍの開口部端面は、管体３の一端
側の開口部８端面と略同一平面上に位置する様に成している。
このため、中空部１において、開口部８から連結部Ｍの接続手段Ｘの長さに対応した部
位には、接続手段Ｘの基端周縁（接続手段Ｘが雄ネジ部の場合では雄ネジ部Ｘ終端のネジ
山、接続手段Ｘがフランジ部の場合ではフランジ部背面の外周縁）ＸＧに掛止する突条９
を設け、該突条９において基端周縁ＸＧとの掛止面9aを管体３の求心方向に向かって縮径
する様に傾斜形成している。
又、開口部８内周には、連結部Ｍにおける接続手段Ｘの先端周縁（接続手段Ｘが雄ネジ
部の場合では雄ネジ部Ｘ始端のネジ山、接続手段Ｘがフランジ部の場合ではフランジ部接
合面の外周縁）ＸＳに掛止する突条10を設け、突条９、10間に接続手段Ｘを挟装する様に
成すことで管体３内に連結部Ｍを一体的に保持できる。
尚、突条９、10の夫々は、分割体４、５と同様な円弧状に形成され、分割体４、５の分
断面６、７を当接合致して管体３形態に変形した状態では当然ながら円環状に連結される
。
分割体４、５において当接する分断面６、７の夫々には着脱自在に嵌合するピン状の凸
部11及び穴状の凹部12を設け、管体３形態へ変形した状態で、凸部11が凹部12に嵌合する
ことにより分断面６、７がズレることなく当接合致する。
【００１４】
分割体４、５の一端側は、分断面６、７相互を当接合致する様に付勢した弾性部材13で
連結される。
この弾性部材13はゴム製にして円環状に形成され、図３、４に示す様に、分割体４、５
を接合した管体３形態において、開口部８端面側より上下２段の環状溝14、15を形成し、
下段環状溝15に弾性部材13を押し込むことにより、弾性部材13において分割体４、５の円
弧に対応した部位が分割体４、５の一端側に内装される。
そして、上段環状溝14に分割体４、５に略対応した円弧状の止め具16を装填することに
より、弾性部材13を抜止めしている。
又、弾性部材13は、ゴム製に限定されず、密着巻のコイルバネの両端を連結して円環状
に形成した、所謂ガータスプリングであっても良い。
この様に、分割体４、５は弾性部材13により連結されているため、連結した一端側を上
記の如くヒンジとして分割体４、５を開閉させて管体３を図１、２の様に変形させること
ができると共に、弾性部材13は伸縮性を有しているため、分割体４、５を左右に引張して
分断面６、７を略平行状に離間することも可能である。
尚、図３は弾性部材13及び止め具16を省略した管体３形態の平面図であり、又図４は管
継手の構成部材を示す図であるが、分割体５は図中の凸部11に代えて凹部12を有する以外
は分割体４と同一のため、分割体５を省略し、分割体４のみを図示している。
【００１５】
図５は、上記構成の管継手を水量計取付けユニットに使用した状態を示す断面図である
。
このユニットは、水量計ａの出入口（上記連結部Ｍに相当）の夫々を連結する止水栓ｂ
及び逆止弁ｃと、止水栓ｂの出口ｄ及び逆止弁ｃの入口ｅの夫々を同一軸線上で水量計ａ
の全長より長い間隔を以て離間配置する基台ｆとから成る。
尚、止水栓ｂの入口と逆止弁ｃの出口の夫々は図示しない上流側配管及び下流側配管に
接続されている。
止水栓ｂの出口ｄは伸縮自在に設けられ、その出口ｄ周縁に設けたフランジｇの前端面
にＯリング溝を凹設し、該Ｏリング溝に、水量計ａの入口Ｍ端面との間をシールするＯリ
ングＰを装着している。
又、出口ｄには水量計ａの入口Ｍと接続するためにフランジｇで抜止めされたユニオン
ナット（上記連結部Ｎに相当）を回転自在に外嵌し、該ユニオンナットＮの内面において
フランジｇ外方に対応した面に円環板状のガスケットｈを配している。
逆止弁ｃの入口ｅにも、上記と同様に水量計ａの出口Ｍ端面との間をシールするＯリン
グＰが装着され、水量計ａの出口Ｍと接続するためのユニオンナットＮを回転自在に外嵌
している。
【００１６】
そして、図５、６に示す様に、水量計ａの出入口Ｍは、ユニオンナットＮよりも小径で
あるため、上記管継手を使用して水量計ａの入口Ｍ及び出口Ｍの夫々を止水栓ｂの出口ｄ
及び逆止弁ｃの入口ｅに接続する。
尚、図６は管継手を用いて水量計ａの出口Ｍを逆止弁ｃの入口ｅに接続した拡大断面図
を示しており、水量計ａの入口Ｍと止水栓ｂの出口ｄの接続状態は図６と同様なためその
拡大図は省略する。
先ず、水量計ａの出（入）口Ｍに管体３を装着するには、弾性部材13で連結された一端
側をヒンジの様にして分割体４、５を分離（図２参照）することにより、中空部１を拡開
変形し、該中空部１に出（入）口Ｍを配置し、その後凸部11と凹部12が相互に嵌合する様
に分断面６、７を当接合致させ、管体３形態に変形させる。
かかる状態では、出（入）口Ｍ外周に設けた雄ネジ部Ｘが突条９、10間に挟装されると
共に、突条９の掛止面9aに接触するネジ山ＸＧが掛止面9aに沿って摺接するため、出（入
）口Ｍの軸芯は管体３の軸芯に合致して中空部１に収容保持されることとなり、又弾性部
材13の付勢力と凹凸部12、11の嵌合により、分割体４、５が接合された管体３形態が安定
的に保持され、その外周の雄ネジ部２のネジ山がズレなく螺旋状に連続している。
尚、上記の様に、出（入）口Ｍを管体３内に収容することで両者Ｍ、３の軸芯を合致で
きるのは、突条９の掛止面9aが管体３の求心方向へ向かって縮径していることで、掛止面
9aに雄ネジ部Ｘ終端のネジ山ＸＧが接触すれば、必ずそのネジ山ＸＧが掛止面9aを摺接し
て出（入）口Ｍの軸芯を管体３の軸芯に合致させられるのであって、中空部１に収容可能
なものであれば、例え出（入）口Ｍの外径が異なるいずれのものに対しても、同様に管体
３の軸芯に出（入）口Ｍの軸芯を合致できる。
【００１７】
次いで、止水栓ｂと逆止弁ｃの間に水量計ａを配すると共に、止水栓ｂの出口ｄを適宜
長さに伸長させる。
その後、止水栓ｂの出口ｄ及び逆止弁ｃの入口ｅの夫々に設けたユニオンナットＮを回
転させ、その雌ネジ部Ｙを水量計ａの出（入）口Ｍに装着した管体３の雄ネジ部２に螺着
する。
これにより、同一軸線上において、水量計ａの入口Ｍ及び出口Ｍの夫々が止水栓ｂの出
口ｄ及び逆止弁ｃの入口ｅに接続される。
尚、本発明の管継手は、上記ユニットに限らず、上述した様に、その他の配管系にも適
用可能であり、又接続手段Ｘがフランジである連結部Ｍと、雌ネジ部Ｙを有する連結部Ｎ
との特異な接続も上記と同様な手順にて実施できる。
【図面の簡単な説明】
【００１８】
【図１】管継手の斜視図である。
【図２】管継手の拡開変形状態を示す斜視図である。
【図３】分割体のみを接合させた平面図である。
【図４】管継手の構成部材を示す図である。
【図５】管継手の使用状態を示す断面図である。
【図６】図５の要部拡大図である。
【符号の説明】
【００１９】
１    中空部
２    雄ネジ部
３    管体
４    分割体
５    分割体
６    分断面
７    分断面
９    突条
9a    掛止面
10    突条
11    凸部
12    凹部
13    弾性部材
Ｍ    一方の連結部
Ｎ    他方の連結部
Ｘ    接続手段
Ｙ    雌ネジ部
ＸＧ  基端周縁
ＸＳ  先端周縁
【図１】
2005163950.tif 000003
【図２】
2005163950.tif 000004
【図３】
2005163950.tif 000005
【図４】
2005163950.tif 000006
【図５】
2005163950.tif 000007
【図６】
2005163950.tif 000008